(57)【要約】【課題】従来のロック偏移量の段階表示機能を維持しつつも、より０点に近い狭い範囲に対応した表示も可能とする。【解決手段】検出したロック偏移量を複数の範囲（Ｂ、ＣＲ，ＣＬ等）に分けて段階表示する表示器を備えた転てつ機のロック偏移量検出器であって、最もロック偏移量の０点に近い範囲を、比較的広い範囲Ｂと、比較的狭い範囲Ａとに切り替える表示モード切替手段を有する。表示モード切替手段の切替操作手段としては、例えばハンドル挿入口１８の開閉蓋１７とする。【選択図】図１
2010215004.tif 000002
【特許請求の範囲】
【請求項１】
検出したロック偏移量を複数の範囲に分けて段階表示する表示器を備えた転てつ機のロック偏移量検出器であって、
最もロック偏移量の０点に近い範囲を、比較的広い範囲と、比較的狭い範囲とに切り替える表示モード切替手段を有する転てつ機のロック偏移量検出器。
【請求項２】
転てつ機を手動で駆動するためのハンドルを挿入するハンドル挿入口の開閉蓋を前記表示モード切替手段の切替操作手段とし、前記表示モード切替手段は、前記開閉蓋の閉時に前記比較的広い範囲に切替え、前記開閉蓋の開時に前記比較的狭い範囲に切替える請求項１に記載の転てつ機のロック偏移量検出器。
【発明の詳細な説明】
【技術分野】
【０００１】
本発明は、転てつ機のロック偏移量検出器によるロック偏移量の表示に関する。
【背景技術】
【０００２】
転てつ機として、動作かんと鎖錠かんとを備えたものが一般的に採用されている。かかる転てつ機は、分岐器が配備されたレールの左又は右に据え付けられ、動作かん及び鎖錠かんをそれぞれ分岐器のトングレールに連結した機構を有し、動作かんによってトングレールを定位、反位に動作させ、トングレールと連れ動く鎖錠かんの切欠きにロックピースを横から挿入することにより鎖錠かん、従ってトングレールの動作を阻止して鎖錠を完了する。切欠き及びロックピースは定位、反位のそれぞれに対応して設けられている。転てつ機は、２つのロックピースを鎖錠かんに交差する方向に、定位‐反位のストローク動作に連動して互い違いに前後動させて各切欠きへ挿入、離脱させる。
【０００３】
鎖錠完了において鎖錠かんの切欠きとロックピースには隙間があり、ロックピースの左右に均等に隙間を配して調整した位置が０点（中心）となる。この０点に対する移動量をロック偏移量という。
鎖錠かんは、トングレールと機械的に連結されているため、レールの移動や伸縮、摩擦等により鎖錠かんも移動する。この移動が鎖錠かんの切欠きとロックピースとの相対位置の変化につながる。
鎖錠かんの切欠きとロックピースの相対位置がずれてくると、動作かんによって定位又は反位への転換が正しく終了していても、ロックピースを切欠きに挿入することができず、鎖錠を完了することができない。鎖錠を完了することができなければ、列車を通過させることができない。
そのため、転てつ機にはロック偏移量検出器が備えられ、切欠きとロックピースのずれを表示することで、保守点検に役立てられている。
特許文献１には、ロック偏移量検出器による検出方法に関する発明が記載されている。同文献には、ロックピースの左右の隙間を値として表示することが記載されている。
【０００４】
従来、転てつ機のロック偏移量検出器として、ロック偏移量に複数の閾値を設けて閾値によって区切られる各範囲にＬＥＤの色や点灯配列の組合せを対応させて可視化表示するものが利用されている。かかる表示を参照することにより、段階分けされたロック偏移状態を知ることができる。「再調整要」に対応した範囲とその表示も設けられる。「再調整要」を区切る閾値より０点に近い領域にも複数の閾値が設けられる。
したがって、点検者はこのＬＥＤ表示を見れば、切欠き及びロックピースを視認しない場合においても、ロック偏移状況を知ることができ、再調整の要否を判断することができる。また、ロック調整時、作業者はこのＬＥＤ表示を参照することにより、０点への近さを判断することができる。すなわち、ロック偏移量検出器は、ロック位置の調整を支援することができる。そして、最も０点に近い範囲を調整完了範囲としてこの範囲内に収めて調整を完了していた。
【先行技術文献】
【特許文献】
【０００５】
【特許文献１】特開２０００−１５９１０６号公報
【特許文献２】特開２００８−２４７１６４号公報
【発明の概要】
【発明が解決しようとする課題】
【０００６】
しかし、以上の従来技術にあってもさらに次のような問題があった。
最も０点に近い調整完了範囲に収めて調整を完了しても、その範囲の中で最も０点から遠い位置に調整された場合は、「再調整要」の範囲に近いため、その後の転換や列車通過による僅かなレールの偏移により即「再調整要」の範囲に入ってしまい。再調整を余儀なくされていた。
一方、調整完了範囲を狭く設定すれば、要調整精度が厳しくなり、徒に調整作業を難しくし、一律に調整時間が長くしてしまうおそれがある。
【０００７】
本発明は以上の従来技術における問題に鑑みてなされたものであって、従来のロック偏移量の段階表示機能を維持しつつも、より０点に近い狭い範囲に対応した表示も可能な転てつ機のロック偏移量検出器を提供することを課題とする。
【課題を解決するための手段】
【０００８】
以上の課題を解決するための請求項１記載の発明は、検出したロック偏移量を複数の範囲に分けて段階表示する表示器を備えた転てつ機のロック偏移量検出器であって、
最もロック偏移量の０点に近い範囲を、比較的広い範囲と、比較的狭い範囲とに切り替える表示モード切替手段を有する転てつ機のロック偏移量検出器である。
【０００９】
請求項２記載の発明は、転てつ機を手動で駆動するためのハンドルを挿入するハンドル挿入口の開閉蓋を前記表示モード切替手段の切替操作手段とし、前記表示モード切替手段は、前記開閉蓋の閉時に前記比較的広い範囲に切替え、前記開閉蓋の開時に前記比較的狭い範囲に切替える請求項１に記載の転てつ機のロック偏移量検出器である。
【発明の効果】
【００１０】
本発明によれば、最もロック偏移量の０点に近い範囲を、比較的広い範囲と、比較的狭い範囲とに切り替えることができるので、使用者の選択により比較的狭い範囲による表示に切り替えられることにより、より高精度に０点近くに調整することを支援することができるとともに、比較的広い範囲による表示に切り替えられることにより、調整作業の容易を選択させることもできるという効果がある。
また、転てつ機を手動で駆動するためのハンドルを挿入するハンドル挿入口の開閉蓋を表示モード切替手段の切替操作手段とすることにより、本発明の導入に当たって特別に切替操作手段を設ける必要が無いという効果、調整後は開閉蓋が必ず閉められるため、切替の戻し忘れを防止することができるという効果がある。  
【図面の簡単な説明】
【００１１】
【図１】本発明の一実施形態に係る転てつ機のロック偏移量検出器によるロック偏移量と表示との関係を示した図である。但し、ロック偏移量は小数点第１位までを有効数として表現している。
【図２】本発明の一実施形態に係る転てつ機の主要な電装部分を示すブロック図である。
【図３】本発明の一実施形態に係る転てつ機のハンドル挿入口の開閉蓋の開閉状態とこれに対応するスイッチのオン／オフを示した模式図である。
【発明を実施するための形態】
【００１２】
以下に本発明の一実施形態につき図面を参照して説明する。以下は本発明の一実施形態であって本発明を限定するものではない。
【００１３】
図１に示すように、鎖錠完了時には、鎖錠かんの切欠きＨにロックピースＩが挿入される。鎖錠かんラインＧ１とゲージラインＧ２との間の距離がロック偏移量に対応する。鎖錠かんラインＧ１とゲージラインＧ２とが一致するとき、ロック偏移量は０であり、ロックピースＩは切欠きＨのちょうど中央に位置する。図１中の状態Ｅ０はこの状態を示す。状態Ｅ１Ｒ〜Ｅ４Ｒは、ロックピースＩに対して切欠きＨが右に偏在している状態、状態Ｅ１Ｌ〜Ｅ４Ｌは、ロックピースＩに対して切欠きＨが左に偏在している状態を示す。Ｆ０、Ｆ１Ｒ〜Ｆ４Ｒ及びＦ１Ｌ〜Ｆ４Ｌは、各範囲に対応したＬＥＤ表示形態である。図１中に、切欠きＨの左への偏移をマイナスとして座標を示し、各範囲と対応するＬＥＤ表示形態を示した。
【００１４】
図２に示すように、ロック偏移量検出器は、制御部１０と、センサ１１と、ＬＥＤ表示器１２とを備えて構成される。制御部１０は、センサ１１と、ＬＥＤ表示器１２とに接続されるとともに、切替スイッチ１５ａにスイッチ検出回路１３を介して接続されている。転てつ機本体には、その他にモータ１４、モータ１４の電源回路１６、電源遮断スイッチ１５ｂが備えられ、モータ１４は電源回路１６を介して、駆動回路、制御回路、電源に接続される。
ロック偏移量検出器に備えられるセンサ１１により、ゲージラインＧ２の位置が感知され、その感知信号に基づき制御部１０はロック偏移量を計算し、図１に示した各範囲に応じた表示をＬＥＤ表示器１２に表示させる。ＬＥＤ表示器１２には３つのＬＥＤＰ１，Ｐ２，Ｐ３が備えられる。
【００１５】
切替スイッチ１５ａの接点１−２間が導通（オン）の場合において、制御部１０はロック偏移量が、図１中の状態Ｅ０のように０点から±0.3ｍｍの範囲Ｂであるとき、ＬＥＤ表示器１２の３つのＬＥＤＰ１，Ｐ２，Ｐ３をグリーン色で全点灯させる。
制御部１０はロック偏移量が、図１中の状態Ｅ１Ｒのように範囲ＣＲであるとき、ＬＥＤ表示器１２のＬＥＤＰ３を消灯し，ＬＥＤＰ１，Ｐ２をグリーン色で点灯させる。
制御部１０はロック偏移量が、図１中の状態Ｅ１Ｌのように範囲ＣＬであるとき、ＬＥＤ表示器１２のＬＥＤＰ１を消灯し，ＬＥＤＰ２，Ｐ３をグリーン色で点灯させる。
その他の範囲と対応する表示形態は図１に示す通りである。
なお、範囲ＤＲ，範囲ＤＬにおいては、「再調整要」の表示として、前者はＬＥＤＰ２，Ｐ３が消灯、ＬＥＤＰ１が橙色で点灯、後者はＬＥＤＰ１，Ｐ２が消灯、ＬＥＤＰ３が橙色で点灯となる。
【００１６】
一方、切替スイッチ１５ａの接点１−２間が非導通（オフ）の場合において、制御部１０はロック偏移量が、図１中の状態Ｅ０Ｓのように０点から±0.1ｍｍの範囲Ａであるとき、ＬＥＤ表示器１２の３つのＬＥＤＰ１，Ｐ２，Ｐ３をグリーン色で全点滅させる。
【００１７】
転てつ機本体の筐体の上面部には、転換機構の上側に位置して図３に示すようなハンドル挿入口１８が形成されており、さらにハンドル挿入口１８に対応して開閉蓋１７が取り付けられている。開閉蓋１７は、転てつ機本体の筐体の上面部に水平方向へ回動可能に取り付けられており、その回動動作によってハンドル挿入口１８を閉鎖する閉鎖位置と開放する開放位置との間で変位する。
【００１８】
開閉蓋１７が開放されてハンドル挿入口１８が開口すると、ハンドル挿入口１８には転換機構を手動で駆動させるためのハンドルの先端部が挿入可能となる。ハンドル挿入口１８にハンドルの先端部を挿入すると、その先端部が転換機構の手動機構に連結され、ハンドルを回転させると手動機構によって動作かんが動作する。また、開閉蓋１７はスイッチユニット１５に連結されており、切替スイッチ１５ａと電源遮断スイッチ１５ｂは図３に示すように開閉蓋１７の回転角度に応じてオン／オフが切り替えられる。
【００１９】
図３は、開閉蓋１７の開閉位置（回転角度）とスイッチユニット１５のオン／オフ切り替えの関係を示している。
【００２０】
開閉蓋１７は、円板状の蓋本体１７ａと、蓋本体１７ａの外周部に突設された連結部１７ｂとを備えており、連結部１７ｂが水平方向へ回動可能に軸支されている。この開閉蓋１７の連結部１７ｂにスイッチユニット１５が連結されており、切替スイッチ１５ａと電源遮断スイッチ１５ｂは、開閉蓋１７が閉鎖位置（図３(a)）から開放方向へ回動されるとオンからオフに切り替わり（図３(b)）、開閉蓋１７が開放位置から閉鎖方向へ回動されるとオフからオンに切り替わる。
【００２１】
以上の本実施形態のロック偏移量検出器によれば、開閉蓋１７が閉まっているときは、従来と同様のロック偏移量表示がなされ、開閉蓋１７が開いているときは、最もロック偏移量の０点に近い範囲が従来の範囲Ｂより狭い範囲Ａとなり、より０点に近い限定された範囲を特定するロック偏移量表示がなされる。
【００２２】
したがって、ロック偏移量を調整する調整者は、開閉蓋１７を開けて、ハンドル挿入口１８にハンドルを挿入し、このハンドルを操作して転てつ機を定位又は反位に鎖錠する。次に、鎖錠かんやフロントロッドに備えられた螺子機構による調整機構を操作して切欠きＨとロックピースＩの相対位置を調整する。この時、開閉蓋１７が開いているから、最もロック偏移量の０点に近い範囲は、比較的狭い範囲Ａとして全点滅Ｆ０Ｓの表示がされる。したがって、最もロック偏移量の０点に近い範囲として比較的広い範囲Ｂで全点灯Ｆ０の表示がされる場合に比較して、より高精度に０点近くに調整することを支援することができる。
【００２３】
調整者は、範囲Ａにロック偏移量を収めて調整を終了したら、調整機構のロックナットを締結して調整機構を固定し、ハンドル挿入口１８からハンドルを離脱し、開閉蓋１７を閉める。なお、このとき、調整機構のロックナットを締結する作業によって調整機構による切欠きＨの固定位置が微小にずれるため、ロック偏移量が範囲Ａからわずかに離脱する場合がある。しかし、この場合でも、開閉蓋１７を閉めた時に全点灯Ｆ０の表示が得られれば、調整完了とする。この場合でも、調整終了後のロック偏移量が範囲Ｂの閾値（0.3ｍｍ）付近でなく、範囲Ａの閾値（0.1ｍｍ）付近であるため、従来より０点に近い位置での調整完了が確保される。
【符号の説明】
【００２４】
１０   制御部
１１   センサ
１２   ＬＥＤ表示器
１３   スイッチ検出回路
１４   モータ
１５   スイッチユニット
１５ａ 切替スイッチ
１５ｂ 電源遮断スイッチ
１６   電源回路
１７   開閉蓋
１７ａ 蓋本体
１７ｂ 連結部
１８   ハンドル挿入口
Ａ     比較的狭い範囲
Ｂ     比較的広い範囲
Ｈ     切欠き
Ｉ     ロックピース
【図１】
2010215004.tif 000003
【図２】
2010215004.tif 000004
【図３】
2010215004.tif 000005